(57)【要約】【課題】  本発明は、多数枚の記録媒体にそれぞれ記録されたコンテンツの種別をユーザに認識させながら、記録媒体及び種別を選択させてコンテンツを再生できるようにする。【解決手段】  多数枚マルチディスクプレーヤ１は、光ディスク１００が新たに収納された際に、ディスク情報テーブル３０に当該光ディスク１００のコンテンツ種別情報ＩＣやタイトル情報ＩＴ等を格納しておき、当該光ディスク１００を再生する際に、ディスク情報テーブル３０の情報を基にディスク検索画面４０を表示させ、スロット番号毎に２つのコンテンツ種別情報ＩＣを並列的に提示することにより、当該ユーザに当該コンテンツ種別情報ＩＣを２つとも認識させた上で、再生する光ディスク１００のスロット番号を選択させることができる。【選択図】        図７
2006053956.tif 000002
【特許請求の範囲】
【請求項１】
それぞれ１以上の種別のコンテンツが記録された複数の記録媒体のなかからユーザに記録媒体を選択させて上記コンテンツを再生する再生装置において、
上記記録媒体に記録されているコンテンツの種別を表す種別情報を、上記記録媒体を表す記録媒体情報に対応付けて記憶する記憶手段と、
上記記憶手段の上記種別情報を基に、上記記録媒体情報に当該種別情報をそれぞれ対応付けて所定の表示手段に表示して上記ユーザに上記記録媒体を選択させる記録媒体情報表示手段と、
上記選択された上記記録媒体に２つ以上の上記種別情報が対応付けられている場合、当該種別情報を上記表示手段に表示して上記ユーザに再生対象となるコンテンツの種別を選択させる種別情報表示手段と、
上記ユーザに選択された上記記録媒体における再生対象の種別のコンテンツを再生する再生手段と
を具え、
上記記録媒体情報表示手段は、
上記記録媒体情報に複数の当該種別情報をそれぞれ対応付けて所定の表示手段に並列的に表示する
ことを特徴とする再生装置。
【請求項２】
上記表示手段に表示する種別情報をユーザに選択させる表示種別選択手段
をさらに具え、
上記記録媒体情報表示手段は、
上記記憶手段の上記種別情報を基に、上記ユーザに選択された種別情報が対応付けられている上記記録媒体情報のみを抽出し、当該抽出した記録媒体情報に当該種別情報をそれぞれ対応付けて上記表示手段に並列的に表示して上記ユーザに上記記録媒体を選択させる
ことを特徴とする請求項１に記載の再生装置。
【請求項３】
上記種別情報表示手段は、
上記ユーザに選択された上記記録媒体に異なるジャンルでなる２以上の種別情報が対応付けられている場合、当該種別情報を上記表示手段に表示し、再生対象となるコンテンツの種別として異なるジャンルから１つずつの種別か、又はジャンルに関わらず１つの種別のみを上記ユーザに選択させ、
上記再生手段は、
上記ユーザに異なるジャンルから１つずつの種別が選択された場合、上記ユーザに選択された上記記録媒体における当該選択されたそれぞれの種別のコンテンツを同時に再生し、一方上記ユーザに１つの種別のみが選択された場合、上記ユーザに選択された上記記録媒体における当該選択された種別のコンテンツのみを再生する
ことを特徴とする請求項１に記載の再生装置。
【請求項４】
上記種別情報表示手段は、
上記ユーザに選択された上記記録媒体に１つのジャンルに属する２以上の種別情報が対応付けられている場合、当該種別情報を上記表示手段に表示し、再生対象となるコンテンツの種別として１つの種別のみを上記ユーザに選択させ、
上記再生手段は、
上記ユーザに選択された上記記録媒体における上記選択された種別のコンテンツのみを再生する
ことを特徴とする請求項１に記載の再生装置。
【請求項５】
それぞれ１以上の種別のコンテンツが記録された複数の記録媒体のなかからユーザに記録媒体を選択させて上記コンテンツを再生する再生装置のコンテンツ表示方法において、
上記記録媒体を表す記録媒体情報に対応付けられ、上記記録媒体に記録されているコンテンツの種別を表す種別情報を基に、上記記録媒体情報に当該種別情報をそれぞれ対応付けて所定の表示手段に表示して上記ユーザに上記記録媒体を選択させる記録媒体情報表示ステップと、
上記選択された上記記録媒体に２つ以上の上記種別情報が対応付けられている場合、当該種別情報を上記表示手段に表示して上記ユーザに再生対象となるコンテンツの種別を選択させる種別情報表示ステップと
を具え、
上記記録媒体情報表示ステップは、
上記記録媒体情報に複数の当該種別情報をそれぞれ対応付けて所定の表示手段に並列的に表示する
ことを特徴とする再生装置のコンテンツ表示方法。
【発明の詳細な説明】
【技術分野】
【０００１】
本発明は再生装置に関し、例えば多数枚の光ディスクを収納し、そのなかから１枚の光ディスクをユーザに選択させて再生する多数枚マルチディスクプレーヤに適用して好適なものである。
【背景技術】
【０００２】
従来、映像データや音声データを記録した光ディスクとして、ＣＤ（Compact Disc）をはじめ、ＤＶＤ−Ｖｉｄｅｏ（Digital Versatile Disc-Video）、ＤＶＤ−Ａｕｄｉｏ（Digital Versatile Disc-Audio）、及びＳＡ−ＣＤ（Super Audio-Compact Disc）等の複数種類の光ディスクが提案されており、これらの光ディスクを全て再生可能なマルチディスクプレーヤが提案され、普及しつつある。
【０００３】
さらに近年では、これらの光ディスクを種類の区別なく多数枚（例えば４００枚）収納し、いわゆるチェンジャ機構によって１枚の光ディスクを選択してそのコンテンツを再生する多数枚マルチディスクプレーヤが提案されている。
【０００４】
このような多数枚マルチディスクプレーヤのなかには、収納する光ディスクの枚数が膨大となるため、収納した光ディスクのタイトル等でなるディスク情報を予め記憶部に記憶しておくことにより、当該ディスク情報を用いてユーザに光ディスクを容易に検索させ得るようになされたものがある（例えば、特許文献１参照）。
【特許文献１】特開平１１−２５６５４号公報（第４頁、第１図）
【発明の開示】
【発明が解決しようとする課題】
【０００５】
ところで、ＳＡ−ＣＤのなかには、２チャンネルの音声信号を記録可能な２チャンネルステレオエリア及び６チャンネルまでの音声信号を記録可能なマルチチャンネルエリアといった複数の記録エリアに、それぞれ異なる種類のコンテンツが記録されたものがある。
【０００６】
またＳＡ−ＣＤのなかには、ＳＡ−ＣＤ規格の音声信号を記録したＨＤ（High Density）層及びＣＤ規格の音声信号を記録したＣＤ層の２つの記録層を有するものもある。
【０００７】
このようなＳＡ−ＣＤの光ディスクにおいては、ユーザに再生するコンテンツの記録エリアや記録層を選択させることを前提としている。
【０００８】
ところが多数枚マルチディスクプレーヤは、ディスク情報を基にユーザに光ディスクを選択させる際、多数枚の光ディスクのなかから所望の光ディスクを選択させ得るものの、当該ユーザにさらに記録エリアや記録層を選択させる場合、煩雑な操作を行わせてしまうという問題があった。
【０００９】
本発明は以上の点を考慮してなされたもので、多数枚の記録媒体にそれぞれ記録されたコンテンツの種別をユーザに認識させながら、記録媒体及び種別を容易に選択させてコンテンツを再生し得る再生装置を提案しようとするものである。
【課題を解決するための手段】
【００１０】
かかる課題を解決するため本発明の再生装置においては、それぞれ１以上の種別のコンテンツが記録された複数の記録媒体のなかからユーザに記録媒体を選択させてコンテンツを再生する再生装置において、記録媒体に記録されているコンテンツの種別を表す種別情報を、記録媒体を表す記録媒体情報に対応付けて記憶する記憶手段と、記憶手段の種別情報を基に、記録媒体情報に当該種別情報をそれぞれ対応付けて所定の表示手段に表示してユーザに記録媒体を選択させる記録媒体情報表示手段と、選択された記録媒体に２つ以上の種別情報が対応付けられている場合、当該種別情報を表示手段に表示してユーザに再生対象となるコンテンツの種別を選択させる種別情報表示手段と、ユーザに選択された記録媒体における再生対象の種別のコンテンツを再生する再生手段とを設け、記録媒体情報表示手段は、記録媒体情報に複数の当該種別情報をそれぞれ対応付けて所定の表示手段に並列的に表示するようにした。
【００１１】
これにより、記録媒体情報と対応付けて複数の種別情報をユーザに提示した状態で当該ユーザに記録媒体を選択させることができ、当該選択された記録媒体のコンテンツを再生することができる。
【００１２】
また本発明の再生装置のコンテンツ表示方法においては、それぞれ１以上の種別のコンテンツが記録された複数の記録媒体のなかからユーザに記録媒体を選択させてコンテンツを再生する再生装置のコンテンツ表示方法において、記録媒体を表す記録媒体情報に対応付けられ、記録媒体に記録されているコンテンツの種別を表す種別情報を基に、記録媒体情報に当該種別情報をそれぞれ対応付けて所定の表示手段に表示してユーザに記録媒体を選択させる記録媒体情報表示ステップと、選択された記録媒体に２つ以上の種別情報が対応付けられている場合、当該種別情報を表示手段に表示してユーザに再生対象となるコンテンツの種別を選択させる種別情報表示ステップとを設け、記録媒体情報表示ステップは、記録媒体情報に複数の当該種別情報をそれぞれ対応付けて所定の表示手段に並列的に表示するようにした。
【００１３】
これにより、記録媒体情報と対応付けて複数の種別情報をユーザに提示した状態で当該ユーザに記録媒体を選択させることができる。
【発明の効果】
【００１４】
本発明によれば、記録媒体情報と対応付けて複数の種別情報をユーザに提示した状態で当該ユーザに記録媒体を選択させることができ、当該選択された記録媒体のコンテンツを再生することができるので、かくして多数枚の記録媒体にそれぞれ記録されたコンテンツの種別をユーザに認識させながら、記録媒体及び種別を容易に選択させてコンテンツを再生し得る再生装置を実現できる。
【発明を実施するための最良の形態】
【００１５】
以下、図面について、本発明の一実施の形態を詳述する。
【００１６】
（１）多数枚マルチディスクプレーヤの構成
図１において、１は全体として本発明による多数枚マルチディスクプレーヤを示しており、光ディスク１００から映像データや音声データ等を読み出し映像信号や音声信号を生成してテレビジョンモニタ２００へ送出することにより、当該テレビジョンモニタ２００を介してユーザに映像や音声を視聴させるようになされている。
【００１７】
この多数枚マルチディスクプレーヤ１は、ＣＤ（Compact Disc）をはじめ、ＤＶＤ−Ｖｉｄｅｏ（Digital Versatile Disc-Video）、ＤＶＤ−Ａｕｄｉｏ（Digital Versatile Disc-Audio）、及びＳＡ−ＣＤ（Super Audio-Compact Disc）等に加え、ＭＰ３（Motion Pictures Expert Group-1 Layer-3）形式の音声データやＪＰＥＧ（Joint Photographic Coding Experts Group）形式の画像データを記録したＤＡＴＡ−ＣＤ等の各種の光ディスク１００を再生し得るようになされている。
【００１８】
また多数枚マルチディスクプレーヤ１は、その前面パネルに、ユーザからの操作を受け付けるための操作部２、光ディスク１００の再生時間等を表示するための表示部３、及び開閉自在に取り付けられたドア４が設けられており、当該ドア４を開いた状態において、ユーザに当該光ディスク１００を立てた状態で挿入させ又は取り出させるようになされている。
【００１９】
ちなみに操作部２には、光ディスク１００を再生する再生ボタンや、当該光ディスク１００の再生を停止する停止ボタンの他、上下左右方向を表す「方向」ボタンや「決定」ボタン等が設けられている。
【００２０】
ところで多数枚マルチディスクプレーヤ１は、図２に上面図を示すような内部構造を有しており、回転自在に取り付けられたロータリーテーブル５上に放射状の４００本の溝でなるディスクスロット（図示せず）が形成され、当該ディスクスロットに光ディスク１００が１枚ずつ立てた状態で収納されることにより、最大４００枚の光ディスク１００を収納し得るようになされている。
【００２１】
ちなみに多数枚マルチディスクプレーヤ１は、各ディスクスロットに１番から４００番まで連続的に付与されたスロット番号によって、当該各ディスクスロットに収納された光ディスク１００を管理するようになされている。
【００２２】
多数枚マルチディスクプレーヤ１は、ユーザの操作等に基づき、ロータリーテーブル５を回転させた後、アーム６によって当該ロータリーテーブル５のディスクスロットに収納された光ディスク１００を１枚だけ取り出してディスクドライブ部７にセットし、当該ディスクドライブ部７によって当該光ディスク１００を再生して映像データや音声データを読み出すようになされている。
【００２３】
このとき多数枚マルチディスクプレーヤ１は、後述するＯＳＤ（On Screen Display）によるディスク検索画面を表示手段としてのテレビジョンモニタ２００に表示した状態で、ユーザに所望する光ディスク１００を選択させるようになされている。
【００２４】
また多数枚マルチディスクプレーヤ１は、ディスク検出センサ８によってロータリーテーブル５の各ディスクスロットに光ディスク１００が収納されているか否かを検出し、その検出結果に基づいて各ディスクスロットにおける光ディスク１００の有無を認識するようになされている。
【００２５】
このように多数枚マルチディスクプレーヤ１は、最大４００枚の光ディスク１００を収納し得、また収納した光ディスク１００のなかから１枚を取り出して再生し得るようになされている。
【００２６】
ところで多数枚マルチディスクプレーヤ１は、図３に示すような回路構成を有しており、ＣＰＵ（Central Processing Unit）構成でなるシステム制御部２０が全体を統括制御するようになされている。
【００２７】
システム制御部２０は、操作部２を介してユーザから所定のスロット番号の光ディスク１００を再生する指示を受け付けると、ディスクチェンジコントローラ２１を介してロータリーテーブル５（図２）及びアーム６を制御することによって、ユーザの指示に応じた光ディスク１００をディスクドライブ部７にセットする。
【００２８】
このときディスクドライブ部７は、光ディスク１００のディスク種別がＣＤ、ＤＶＤ−Ｖｉｄｅｏ、ＳＡ−ＣＤ、ＤＡＴＡ−ＣＤ等のいずれであるかを認識して、その認識結果に応じてディスク種別を表すディスク種別情報ＩＤをＤＶＤ光ディスクインターフェース２２へ送出する。
【００２９】
またシステム制御部２０は、ＤＶＤ光ディスクインターフェース２２を介してディスクドライブ部７及びモータドライバ２３を制御することにより、光ディスク１００から映像データＤＶ及び音声データＤＡに加えて当該光ディスク１００に予め格納されたタイトル情報ＩＴ等を読み出させ、これらをディスク種別情報ＩＤと共にＤＶＤホストプロセッサ２４へ送出させる。
【００３０】
ＤＶＤホストプロセッサ２４は、メモリ２５をデータバッファとして用いながら、ＤＶＤ光ディスクインターフェース２２から取得した映像データＤＶに所定の復号化処理等を施すことによって映像信号ＳＶを生成し、映像信号出力端子２６を介して当該映像信号ＳＶをテレビジョンモニタ２００（図１）へ送出する。
【００３１】
またＤＶＤホストプロセッサ２４は、メモリ２５をデータバッファとして用いながら、ＤＶＤ光ディスクインターフェース２２から取得した音声データＤＡを順次オーディオデコーダ２７へ送出する。これに応じてオーディオデコーダ２７は、当該音声データＤＡに所定の復号化処理等を施すことによって音声信号ＳＡを生成し、音声信号出力端子２８を介して当該音声信号ＳＡをテレビジョンモニタ２００（図１）へ送出する。
【００３２】
このように多数枚マルチディスクプレーヤ１は、光ディスク１００から読み出した映像データＤＶ及び音声データＤＡにそれぞれ所定の復号化処理等を施すことにより映像信号ＳＶ及び音声信号ＳＡをそれぞれ生成し、テレビジョンモニタ２００を介してその映像及び音声をコンテンツとしてユーザに視聴させるようになされている。
【００３３】
かかる構成に加えてＤＶＤホストプロセッサ２４は、ＯＳＤ（On Screen Display）形式の映像を生成するＯＳＤ表示部２４Ａを内部に有しており、システム制御部２０の制御に基づいてＯＳＤ映像信号を生成し、映像信号出力端子２６を介してこれをテレビジョンモニタ２００（図１）へ出力してＯＳＤ映像をユーザに提示するようになされている。
【００３４】
（２）ディスク情報の記憶
ところで多数枚マルチディスクプレーヤ１（図２）は、多数枚の光ディスク１００を効率良く管理するべく、ロータリーテーブル５に収納されている光ディスク１００のそれぞれのディスク種別情報ＩＤやタイトル情報ＩＴ等のディスク情報を、図４に示すディスク情報テーブル３０に格納して一元管理するようになされている。
【００３５】
このディスク情報テーブル３０において、スロット番号欄３１はロータリーテーブル５（図２）の各ディスクスロットに付された記録媒体情報としてのスロット番号に対応しており、ディスク種別欄３２には各ディスクスロットに収納された光ディスク１００のディスク種別情報ＩＤが格納されるようになされている。
【００３６】
またディスク情報テーブル３０において、コンテンツ種別欄３３には光ディスク１００に格納されたコンテンツの種別（例えば「ＭＰ３」や「ＳＡ−ＣＤ」等）を表す種別情報としてのコンテンツ種別情報ＩＣが格納され、サブ情報欄３４にはユーザが任意に設定した文字列でなるサブ情報ＩＳが格納され、さらに文字情報欄３５には予め光ディスク１００の各コンテンツに設定されたタイトル情報ＩＴが格納されるようになされている。
【００３７】
ちなみに多数枚マルチディスクプレーヤ１は、複数のコンテンツ種別のコンテンツを記録した光ディスク１００として、ＳＡ−ＣＤ、ＤＶＤ−Ａｕｄｉｏ、及びＤＡＴＡ−ＣＤの３種類の光ディスク１００を再生し得るようになされている。
【００３８】
ここで、ＳＡ−ＣＤディスクには、ＨＤ（High Density）層に記録されたＳＡ−ＣＤ方式の音声データと、ＣＤ層に記録されたＣＤ方式の音声データとのように最大で２つのコンテンツ種別のコンテンツが記録され、またＤＶＤ−Ａｕｄｉｏディスクには、ＡＵＤＩＯ  ＰＡＲＴに記録されたＤＶＤ−Ａｕｄｉｏ方式の音声データと、ＶＩＤＥＯ  ＰＡＲＴに記録されたＤＶＤ−Ｖｉｄｅｏ方式の映像データとのように最大で２つのコンテンツ種別のコンテンツが記録されるようになされている。
【００３９】
またＤＡＴＡ−ＣＤディスクには、ＭＰ３形式の音声データやＪＰＥＧ形式の画像データに加えてＭＰＥＧ（Motion Pictures Expert Group）形式の動画像データ等の種々のデータが記録され得るが、多数枚マルチディスクプレーヤ１は、ＭＰ３データ及びＪＰＥＧデータの２つのコンテンツ種別のコンテンツのみ再生し得るようになされている。
【００４０】
すなわち多数枚マルチディスクプレーヤ１は、１枚の光ディスク１００について、最大で２つのコンテンツ種別のコンテンツを再生し得るようになされている。このためディスク情報テーブル３０においては、１つのスロット番号３１に対してコンテンツ種別欄３３、サブ情報欄３４、及び文字情報欄３５がそれぞれ２つずつ設けられている。
【００４１】
そして多数枚マルチディスクプレーヤ１のシステム制御部２０は、このディスク情報テーブル３０を不揮発性メモリ２９（図３）に記憶させており、必要に応じて各ディスク情報を読み出し、また必要に応じて当該ディスク情報テーブル３０を更新するようになされている。
【００４２】
実際上、多数枚マルチディスクプレーヤ１のシステム制御部２０は、ロータリーテーブル５の空きディスクスロットに新たな光ディスク１００が収納された時点で、当該新たな光ディスク１００に関するディスク情報を取得してディスク情報テーブル３０に格納するようになされており、このときのディスク情報格納処理手順について、図５に示すフローチャートを用いて説明する。
【００４３】
多数枚マルチディスクプレーヤ１のシステム制御部２０は、ドア４（図１）がユーザによって閉じられたことを認識すると、まずロータリーテーブル５（図２）を回転させながらディスク検出センサ８によって新たに光ディスク１００が収納されたディスクスロット（以下、これを対象スロットと呼ぶ）を検出する。
【００４４】
続いてシステム制御部２０は、ディスクチェンジコントローラ２１を制御することによって、対象スロットに収納された新たな光ディスク１００（以下、この新たな光ディスク１００を対象ディスクと呼ぶ）をディスクドライブ部７にセットさせ、当該対象ディスクのデータを読み出し得る状態にした時点でディスク情報格納処理手順ＲＴ１を開始してステップＳＰ１へ移る。
【００４５】
ステップＳＰ１においてシステム制御部２０は、ディスクドライブ部７により対象ディスクのディスク種別を認識し、その認識結果に応じたディスク種別情報ＩＤをメモリ２５に一時的に記憶させて、ステップＳＰ２へ移る。
【００４６】
ステップＳＰ２においてシステム制御部２０は、ディスク種別情報ＩＤに基づき、対象ディスクのディスク種別がＤＡＴＡ−ＣＤであるか否かを判定する。ここで肯定結果が得られると、このことは対象ディスクにＭＰ３形式の音声データ（以下、これをＭＰ３データと呼ぶ）やＪＰＥＧ形式の画像データ（以下、これをＪＰＥＧデータと呼ぶ）が記録されている可能性があることを示しており、このときシステム制御部２０は、次のステップＳＰ３へ移る。
【００４７】
ステップＳＰ３においてシステム制御部２０は、対象ディスクにＭＰ３データが記録されているか否かを判定する。ここで肯定結果が得られると、システム制御部２０は次のステップＳＰ４へ移り、対象ディスクにＭＰ３データが記録されていることに応じて、コンテンツ種別情報ＩＣとして「ＭＰ３」をメモリ２５に一時的に記憶させ、ステップＳＰ５へ移る。
【００４８】
一方ステップＳＰ３において否定結果が得られると、このときシステム制御部２０は何もせず次のステップＳＰ５へ移る。
【００４９】
ステップＳＰ５においてシステム制御部２０は、対象ディスクにＪＰＥＧデータが記録されているか否かを判定する。ここで肯定結果が得られると、システム制御部２０は次のステップＳＰ６へ移り、対象ディスクにＪＰＥＧデータが記録されていることに応じて、コンテンツ種別情報ＩＣとして「ＪＰＥＧ」をメモリ２５に一時的に記憶させ、ステップＳＰ１５へ移る。
【００５０】
一方ステップＳＰ５において否定結果が得られると、このときシステム制御部２０は何もせず次のステップＳＰ１５へ移る。
【００５１】
これに対してステップＳＰ２において否定結果が得られると、このことは少なくとも対象ディスクのディスク種別がＤＡＴＡ−ＣＤではないことを表しており、このときシステム制御部２０はステップＳＰ７へ移る。
【００５２】
ステップＳＰ７においてシステム制御部２０は、ディスク種別情報ＩＤに基づき、対象ディスクのディスク種別がＳＡ−ＣＤであるか否かを判定する。ここで肯定結果が得られると、このことは対象ディスクが、ＳＡ−ＣＤ方式の音声データ（以下、これをＳＡ−ＣＤ音声データと呼ぶ）が記録されたＨＤ（High Density）層を有していることを表しており、このときシステム制御部２０は次のステップＳＰ８へ移る。
【００５３】
ステップＳＰ８においてシステム制御部２０は、対象ディスクのＨＤ層にＳＡ−ＣＤ音声データが記録されていることに応じて、コンテンツ種別情報ＩＣとして「ＳＡ−ＣＤ」をメモリ２５に一時的に記憶させ、ステップＳＰ９へ移る。
【００５４】
ステップＳＰ９においてシステム制御部２０は、対象ディスクが、ＣＤ方式の音声データ（以下、これをＣＤ音声データと呼ぶ）が記録されたＣＤ層を有しているか否かを判定し、ここで肯定結果が得られると、次のステップＳＰ１０へ移り、対象ディスクのＣＤ層にＣＤ音声データが記録されていることに応じて、コンテンツ種別情報ＩＣとして「ＣＤ」をメモリ２５に一時的に記憶させ、ステップＳＰ１５へ移る。
【００５５】
一方ステップＳＰ９において否定結果が得られると、このときシステム制御部２０は何もせず次のステップＳＰ１５へ移る。
【００５６】
これに対してステップＳＰ７において否定結果が得られると、このことは対象ディスクがＤＡＴＡ−ＣＤ及びＳＡ−ＣＤのいずれでもないことを表しており、このときシステム制御部２０はステップＳＰ１１へ移る。
【００５７】
ステップＳＰ１１においてシステム制御部２０は、ディスク種別情報ＩＤに基づき、対象ディスクのディスク種別がＤＶＤ−Ａｕｄｉｏであるか否かを判定する。ここで肯定結果が得られると、このことは対象ディスクが、ＤＶＤ−Ａｕｄｉｏ方式の音声データが記録された領域であるＡＵＤＩＯ  ＰＡＲＴを有していることを表しており、このときシステム制御部２０は次のステップＳＰ１２へ移る。
【００５８】
ステップＳＰ１２においてシステム制御部２０は、対象ディスクにＤＶＤ−Ａｕｄｉｏ方式の音声データが記録されていることに応じて、コンテンツ種別情報ＩＣとして「ＤＶＤ−Ａ」をメモリ２５に一時的に記憶させ、ステップＳＰ１３へ移る。
【００５９】
ステップＳＰ１３においてシステム制御部２０は、ＤＶＤ−Ｖｉｄｅｏ方式の映像データが記録された領域であるＶＩＤＥＯ  ＰＡＲＴが対象ディスクに記録されているか否かを判定する。ここで肯定結果が得られると、システム制御部２０は次のステップＳＰ１４へ移る。
【００６０】
ステップＳＰ１４においてシステム制御部２０は、対象ディスクにＤＶＤ−Ｖｉｄｅｏ方式の映像データが記録されていることに応じて、コンテンツ種別情報ＩＣとして「ＤＶＤ−Ｖ」をメモリ２５に一時的に記憶させ、ステップＳＰ１５へ移る。
【００６１】
一方ステップＳＰ１３において否定結果が得られると、このときシステム制御部２０は何もせず次のステップＳＰ１５へ移る。
【００６２】
これに対してステップＳＰ１１において否定結果が得られると、このことは対象ディスクが、ＤＶＤ−Ｖｉｄｅｏ方式の映像データのみを記録したＤＶＤ−ＶｉｄｅｏディスクやＣＤ方式の音声データのみを記録したＣＤディスク等のように１種類のコンテンツのみを記録していることを表しており、このときシステム制御部２０は特にコンテンツ種別情報ＩＣをメモリ２５に記憶させることなく、次のステップＳＰ１５へ移る。
【００６３】
ステップＳＰ１５においてシステム制御部２０は、タイトル情報ＩＴをコンテンツ種別毎に対象ディスクから読み出し、これをコンテンツ種別情報ＩＣと対応付けてそれぞれメモリ２５に一時的に記憶させ、次のステップＳＰ１６へ移る。
【００６４】
ステップＳＰ１６においてシステム制御部２０は、メモリ２５に一時的に記憶させたディスク種別情報ＩＤ、コンテンツ種別情報ＩＣ及びタイトル情報ＩＴ等のディスク情報を読み出し、これらを対象ディスクのスロット番号に対応させてディスク情報テーブル３０（図５）のディスク種別欄３２、コンテンツ種別欄３３、及び文字情報欄３５にそれぞれ格納する。
【００６５】
なおシステム制御部２０は、対象ディスクに２種類のコンテンツが記録されている場合、コンテンツ種別情報ＩＣ及びタイトル情報ＩＴをそれぞれ２種類ずつディスク情報テーブル３０に格納する。
【００６６】
またシステム制御部２０は、対象ディスクがＤＡＴＡ−ＣＤ、ＳＡ−ＣＤ、及びＤＶＤ−Ａｕｄｉｏのいずれでもない場合、すなわち当該対象ディスクに１種類のコンテンツのみが格納されている場合、例えばスロット番号「１」（図５）のように、コンテンツ種別欄３３にはディスク種別欄３２に格納したディスク種別情報ＩＤと同一の内容でなるコンテンツ種別情報ＩＣを格納するようになされている。
【００６７】
さらにシステム制御部２０は、対象ディスクにタイトル情報ＩＴが記録されていない等の理由で当該タイトル情報ＩＴを読み出せなかった場合、対応する文字情報欄３５を空欄にしておくようになされている。
【００６８】
その後システム制御部２０は、次のステップＳＰ１７へ移ってこのディスク情報格納処理手順ＲＴ１を終了する。
【００６９】
ちなみにシステム制御部２０は、ディスクスロットに収納されていた光ディスク１００がユーザによって取り出されたことを検出した場合、ディスク情報テーブル３０の対応するスロット番号のディスク情報を削除することにより、実際にディスクスロットに収納されている光ディスク１００の状況と当該ディスク情報テーブル３０のディスク情報との整合性を保つようになされている。
【００７０】
（３）ディスク再生処理
ところで多数枚マルチディスクプレーヤ１は、光ディスク１００を再生する場合、ロータリーテーブル５（図２）のディスクスロットに収納した最大４００枚の光ディスク１００のなかから、ユーザに所望の光ディスク１００を選択させると共に、当該ユーザに再生するコンテンツ種別も選択させる必要がある。
【００７１】
そこで多数枚マルチディスクプレーヤ１のシステム制御部２０は、ディスク情報テーブル３０（図５）に格納された情報を基に、ユーザに光ディスク１００及びコンテンツ種別を選択させ、選択された光ディスク１００の選択されたコンテンツを再生するようになされており、このときのディスク再生処理手順について、図６のフローチャートを用いて説明する。
【００７２】
多数枚マルチディスクプレーヤ１のシステム制御部２０は、ユーザから操作部２（図３）を介した所定のディスク再生操作を受け付けると、ディスク再生処理手順ＲＴ２を開始してステップＳＰ２１へ移る。
【００７３】
ステップＳＰ２１においてシステム制御部２０は、不揮発性メモリ２９に記憶しているディスク情報テーブル３０の各情報に基づき、ＯＳＤ処理部２４Ａ（図３）により図７に示すディスク検索画面４０を生成させ、当該ディスク検索画面４０をテレビジョンモニタ２００（図１）の表示画面に表示させる。
【００７４】
このディスク検索画面４０において、画面上部には「フォルダ」（後述する）を選択するためのフォルダ選択ボタン４１が設けられており、予め「ＡＬＬ」ボタン４１Ａが選択された状態となっている。また画面左側には、スロット番号を表したスロット番号表示部４２が表示され、「１」を中心としてスロット番号が下方向へ連続的に表示されている。なお当該スロット番号は循環して表示されており、「１」の１つ上は「４００」となっている。
【００７５】
さらにディスク検索画面４０の中央には、スロット番号表示部４２のスロット番号と対応するように、左半分に１種別目の第１コンテンツ表示部４３が表示され、右半分に２種別目の第２コンテンツ表示部４４が表示されている。この第１コンテンツ表示部４３及び第２コンテンツ表示部４４においては、それぞれ左側にコンテンツ種別情報ＩＣを表示するコンテンツ種別表示欄４３Ａ及び４４Ａが配置され、それぞれ右側にタイトル情報ＩＴを表示する文字情報表示欄４３Ｂ及び４４Ｂが配置されている。
【００７６】
そのうえシステム制御部２０は、初期状態としてスロット番号表示部４２の「１」にカーソルを位置させており（図７に斜線で示す）、ユーザによる操作部２の方向ボタン等の操作入力を受け付けることによって、当該カーソルを上下方向に移動させてスロット番号を選択させるようになされている。
【００７７】
すなわちシステム制御部２０は、ディスク検索画面４０によって、２種類のコンテンツ種別に関するコンテンツ種別情報ＩＣをタイトル情報ＩＴと共に並列的に提示した状態で、ユーザに当該２種類のコンテンツ種別を認識させながらスロット番号を選択させるようになされている。
【００７８】
ちなみにディスク検索画面４０においては、スロット番号「３」〜「５」のように、第１コンテンツ表示部４３のコンテンツ種別表示欄４３Ａの「−」によって、そのスロット番号のディスクスロットに光ディスク１００が収納されていないことが表され、またスロット番号「１」、「６」及び「７」等のように、第２コンテンツ表示部４４を表示しないことによって、そのスロット番号の光ディスク１００に１つのコンテンツ種別のみが記録されていることが表されている。
【００７９】
ところで、このディスク検索画面４０のフォルダ選択ボタン４１は、図８に示すような階層構造を有しており、大まかな分類として、「ＡＬＬ」ボタン４１Ａ、「ＶＩＤＥＯ」ボタン４１Ｂ、及び「ＡＵＤＩＯ」ボタン４１Ｃのいずれかが選択されるようになされている。
【００８０】
ここで、全てのディスク情報を表示することを意味する「ＡＬＬ」ボタン４１Ａは独立しているが、映像ジャンルのコンテンツ種別を含むディスク情報に絞り込むことを意味する「ＶＩＤＥＯ」ボタン４１Ｂの下層には、それぞれ詳細な分類を表す「ＡＬＬ」ボタン４１Ｂ１、「ＤＶＤ」ボタン４１Ｂ２、「ＶＩＤＥＯ  ＣＤ」ボタン４１Ｂ３、及び「ＪＰＥＧ」ボタン４１Ｂ４が設けられており、また、音声ジャンルのコンテンツ種別を含むディスク情報に絞り込むことを意味する「ＡＵＤＩＯ」ボタン４１Ｃの下層には、それぞれ詳細な分類を表す「ＡＬＬ」ボタン４１Ｃ１、「ＳＡ−ＣＤ」ボタン４１Ｃ２、「ＣＤ」ボタン４１Ｃ３、「ＤＶＤ−Ａ」ボタン４１Ｃ４、「ＭＰ３」ボタン４１Ｃ５が設けられている。
【００８１】
ちなみにこれらの下層に位置するボタン群は、通常はディスク検索画面４０には表示されていないが、上層の「ＶＩＤＥＯ」ボタン４１Ｂ又は「ＡＵＤＩＯ」ボタン４１Ｃがユーザに押下された際に一時的に表示されて、当該ユーザに押下され得るようになされている。
【００８２】
実際上システム制御部２０は、フォルダ選択ボタン４１の各ボタンが選択された場合、図９に示す絞り込み条件に応じて、それぞれディスク検索画面４０に表示するディスク情報を絞り込むようになされており、この結果、ユーザにあたかもコンテンツ種別毎のフォルダに分類してあるかのように扱わせることができる。
【００８３】
次にシステム制御部２０は、ステップＳＰ２２へ移り、ユーザの操作によってフォルダ選択ボタン４１のいずれかのボタンが押下されたか否かを判定する。ここで肯定結果が得られると、このことはユーザがディスク検索画面４０に表示するディスク情報を絞り込む意思を持っていることを表しており、このときシステム制御部２０は次のステップＳＰ２３へ移る。
【００８４】
ステップＳＰ２３においてシステム制御部２０は、ディスク検索画面４０（図７）に代えて、図１０に示すような、ユーザに押下されたフォルダ選択ボタン４１（例えば「ＳＡ−ＣＤ」ボタン４１Ｃ２）に応じてディスク情報（すなわちコンテンツ種別「ＳＡ−ＣＤ」を含むディスク情報）を絞り込んだディスク検索画面５０を表示して、次のステップＳＰ２４へ移る。
【００８５】
一方ステップＳＰ２２において否定結果が得られると、このことはユーザがディスク情報を絞り込む意思を持っていないことを表しており、このときシステム制御部２０は次のステップＳＰ２４へ移る。
【００８６】
ステップＳＰ２４においてシステム制御部２０は、ユーザにディスク情報を参照させながらスロット番号表示部４２（図７）上のカーソルを移動させることによってスロット番号を１つ選択させ、次のステップＳＰ２５へ移る。
【００８７】
ステップＳＰ２５においてシステム制御部２０は、ディスク情報テーブル３０のディスク情報を基に、ユーザに選択されたスロット番号の光ディスク１００（以下、これを選択ディスクと呼ぶ）に複数のコンテンツ種別が記録されているか否かを判定する。ここで肯定結果が得られると、このことは再生するコンテンツ種別をユーザに選択させる必要があることを表しており、このときシステム制御部２０は次のステップＳＰ２６へ移る。
【００８８】
ステップＳＰ２６においてシステム制御部２０は、ディスク検索画面４０において同ジャンルのコンテンツ種別のみが提示されているスロット番号、例えば音声ジャンルのコンテンツ種別のみが提示されているスロット番号「８」が選択された場合、図１１に示すようなコンテンツ種別選択画面６０をテレビジョンモニタ２００（図１）の表示画面に表示させる。
【００８９】
このコンテンツ種別選択画面６０には、ディスク検索画面４０（図７）と同様に画面上部にフォルダ選択ボタン４１が表示され、また画面左側にスロット番号表示部４２が表示されており、さらにスロット番号「８」がやや右方向にずれて表示されて当該スロット番号「８」が選択されていることを表している。
【００９０】
またコンテンツ種別選択画面６０には、ディスク検索画面４０（図７）における第１コンテンツ表示部４３及び第２コンテンツ表示部４４に代えて、選択ディスクのみに関する情報を表示する第１コンテンツ表示部６１及び第２コンテンツ表示部６２が表示されている。第１コンテンツ表示部６１及び第２コンテンツ表示部６２には、それぞれ左側にコンテンツ種別情報ＩＣを表示するコンテンツ種別表示欄６１Ａ及び６２Ａが配置され、中央から右側に渡って上段にタイトル情報ＩＴを表示する文字情報表示欄６１Ｂ及び６２Ｂが配置され、その下段にサブ情報ＩＳを表示するサブ情報表示欄６１Ｃ及び６２Ｃが配置されている。
【００９１】
システム制御部２０は、ディスク情報テーブル３０に格納されているディスク情報を基に、第１コンテンツ表示部６１及び第２コンテンツ表示部６２に、それぞれのコンテンツ種別に関するコンテンツ種別情報ＩＣ、タイトル情報ＩＴ等を表示させる。
【００９２】
ここで、スロット番号「８」の光ディスク１００には、図１１に示したように、「ＳＡ−ＣＤ」及び「ＣＤ」のいずれも音声ジャンルのコンテンツ種別が記録されている。この場合、システム制御部２０は同時に両方のコンテンツを再生することができないため、ユーザにいずれか一方のコンテンツ種別を選択させることになる。
【００９３】
実際上コンテンツ種別選択画面６０においては、図中に斜線で示すように、初期状態として予めコンテンツ種別表示部６１Ａが選択された状態となっており、ユーザによる操作部２の方向ボタン等の操作入力を受け付けることによって、当該コンテンツ種別表示部６１Ａ又はコンテンツ種別表示部６２Ａのいずれか一方を選択させ得るようになされている。
【００９４】
次にシステム制御部２０はステップＳＰ２７へ移り、ユーザにコンテンツ種別表示部６１Ａ又はコンテンツ種別表示部６２Ａのいずれかを選択させ、次のステップＳＰ２８へ移る。
【００９５】
一方、ステップＳＰ２５において否定結果が得られると、このことは対象ディスクに１つのコンテンツ種別のみが記録されているため、再生するコンテンツ種別をユーザに選択させる必要がないことを表しており、このときシステム制御部２０は次のステップＳＰ２８へ移る。
【００９６】
ステップＳＰ２８においてシステム制御部２０は、対象ディスクのユーザに選択されたコンテンツ種別（ただし対象ディスクに記録されたコンテンツ種別が１つのみの場合はそのコンテンツ種別）のコンテンツを再生して、次のステップＳＰ２９へ移ってこのディスク再生処理手順ＲＴ２を終了する。
【００９７】
このようにシステム制御部２０は、選択ディスクに同一ジャンルのコンテンツ種別のみが記録されている場合、いずれか一方のコンテンツ種別を選択させて再生するするようになされている。
【００９８】
なおステップＳＰ２６において、ディスク検索画面４０に異ジャンルのコンテンツ種別が提示されているスロット番号、例えば音声ジャンル及び映像ジャンルのコンテンツ種別が提示されているスロット番号「２」が選択された場合、システム制御部２０は、コンテンツ種別選択画面６０（図１１）に代えて、図１２に示すコンテンツ種別選択画面７０をテレビジョンモニタ２００（図１）の表示画面に表示させる。
【００９９】
このコンテンツ種別選択画面７０は、コンテンツ種別選択画面６０（図１１）と同様の画面構成を有しており、画面上部にフォルダ選択ボタン４１が表示され、また画面左側にスロット番号表示部４２が表示されており、さらにスロット番号「２」がやや右方向にずれて表示されて当該スロット番号「２」が選択されていることを表している。
【０１００】
またコンテンツ種別選択画面７０には、コンテンツ種別選択画面６０（図１１）と同様に選択ディスクのみに関する情報を表示する第１コンテンツ表示部７１及び第２コンテンツ表示部７２が表示されている。
【０１０１】
ここで、スロット番号「２」の光ディスク１００には、図１２に示したように、「ＭＰ３」及び「ＪＰＥＧ」のように音声ジャンル及び映像ジャンルのコンテンツ種別が記録されている。この場合システム制御部２０は、ＭＰ３形式の音声データのみを再生するか、ＪＰＥＧ形式の画像データのみを再生する以外に、ＭＰ３形式の音声データを再生しながらＪＰＥＧ形式の画像データを再生することもできる。
【０１０２】
実際上コンテンツ種別選択画面７０においては、図中に斜線で示すように、初期状態として予めコンテンツ種別表示部７１Ａ及びコンテンツ種別表示部７２Ａの両方が選択された状態となっており、ユーザによる操作部２の方向ボタン等の操作入力を受け付けることによって、当該コンテンツ種別表示部７１Ａ又はコンテンツ種別表示部７２Ａのいずれか一方のみを選択することもできるようになされている。
【０１０３】
システム制御部２０は、ステップＳＰ２７において、ユーザに両方のコンテンツ種別を選択させるか、又はいずれか一方のコンテンツ種別を選択させる。ここでユーザに両方のコンテンツ種別が選択された場合、システム制御部２０は、次のステップＳＰ２８においてＭＰ３形式の音声データを再生しながらＪＰＥＧ形式の画像データを再生する。またステップＳＰ２７においていずれか一方のコンテンツ種別のみが選択された場合、システム制御部２０は、次のステップＳＰ２８においてＭＰ３形式の音声データ又はＪＰＥＧ形式の画像データのいずれか一方のみを再生する。
【０１０４】
このようにシステム制御部２０は、対象ディスクに音声ジャンルのコンテンツ種別と映像ジャンルのコンテンツ種別とが記録されている場合、ユーザの選択結果に応じて、いずれか一方のコンテンツ種別を再生する以外にも、両方のコンテンツ種別を同時に再生することもできるようになされている。
【０１０５】
（４）動作及び効果
以上の構成において、多数枚マルチディスクプレーヤ１のシステム制御部２０は、新たに光ディスク１００が収納されると、ディスク情報格納処理手順ＲＴ１（図５）に従い、当該対象ディスクに記録されているコンテンツ種別を判定し、ディスク種別情報ＩＤと共に、当該コンテンツ種別毎のコンテンツ種別情報ＩＣ及びタイトル情報ＩＴをディスク情報テーブル３０（図４）に格納する。
【０１０６】
従って多数枚マルチディスクプレーヤ１は、コンテンツ種別情報ＩＣやタイトル情報ＩＴ等をユーザに手動で入力させる必要なく、ユーザに光ディスク１００を新たに収納させるだけで、当該光ディスク１００のディスク情報を自動的にディスク情報テーブル３０に格納することができる。
【０１０７】
また多数枚マルチディスクプレーヤ１のシステム制御部２０は、光ディスク１００を再生する際、ディスク再生処理手順ＲＴ２（図６）に従い、ディスク情報テーブル３０の情報を基にディスク情報を一覧化したディスク検索画面４０（図７）をテレビジョンモニタ２００（図１）の表示画面に表示させ、スロット番号毎に２つのコンテンツ種別を並列的に提示した状態でスロット番号をユーザに選択させる。
【０１０８】
ここでシステム制御部２０は、ユーザにフォルダ選択ボタン４１が押下された場合、押下されたボタンに応じて表示するディスク情報を絞り込み、ディスク検索画面５０（図１０）を表示してスロット番号をユーザに選択させる。
【０１０９】
さらにシステム制御部２０は、選択ディスクに２つのコンテンツ種別が記録されている場合、同ジャンルのコンテンツ種別のみであれば、コンテンツ種別選択画面６０（図１１）を表示してどちらか一方のコンテンツ種別をユーザに選択させ、異ジャンルのコンテンツ種別であれば、コンテンツ種別選択画面７０（図１２）を表示して両方又はどちらか一方のコンテンツ種別をユーザに選択させて、当該選択されたコンテンツ種別のコンテンツを再生する。
【０１１０】
従って多数枚マルチディスクプレーヤ１は、ディスク検索画面４０において、１枚のディスクに対してコンテンツ種別情報ＩＣを２種類並列的に提示することにより、ユーザにコンテンツ種別を２つとも認識させた上でスロット番号を選択させることができる。
【０１１１】
このとき多数枚マルチディスクプレーヤ１は、コンテンツ種別情報ＩＣと共にタイトル情報ＩＴを提示しているため、当該タイトル情報ＩＴを、ユーザにスロット番号を選択させる際の参考にさせることができる。
【０１１２】
また多数枚マルチディスクプレーヤ１は、ディスク検索画面４０において、フォルダ選択ボタン４１が押下された場合、押下されたボタンに応じたコンテンツ種別を含むディスク情報に絞り込んでディスク検索画面５０を表示することにより、ユーザが所望する光ディスク１００のディスク番号を容易に選択させることができる。
【０１１３】
さらに多数枚マルチディスクプレーヤ１は、選択ディスクに同ジャンルの２つのコンテンツ種別が記録されている場合、コンテンツ種別選択画面６０を表示してどちらか一方のコンテンツ種別を選択させることにより、当該ユーザの所望するコンテンツ種別のコンテンツを容易に選択させて再生することができる。
【０１１４】
このとき多数枚マルチディスクプレーヤ１は、コンテンツ種別選択画面６０においてコンテンツ種別情報ＩＣに加えてタイトル情報ＩＴ及びサブ情報ＩＳを表示することにより、当該タイトル情報ＩＴ及びサブ情報ＩＳを、ユーザにコンテンツ種別を選択させる際の参考にさせることができる。
【０１１５】
一方多数枚マルチディスクプレーヤ１は、選択ディスクに異ジャンルのコンテンツ種別が記録されている場合、コンテンツ種別選択画面７０を表示してどちらか一方又は両方のコンテンツ種別を選択させることにより、音声ジャンル又は映像ジャンルのどちらか一方のコンテンツ種別のコンテンツのみを容易に選択させて再生するだけでなく、音声ジャンル及び映像ジャンルの両方のコンテンツ種別のコンテンツを容易に選択させて同時に再生することができる。
【０１１６】
このとき多数枚マルチディスクプレーヤ１は、コンテンツ種別選択画面６０と同様に、コンテンツ種別選択画面７０においてもコンテンツ種別情報ＩＣに加えてタイトル情報ＩＴ及びサブ情報ＩＳを表示しているため、ユーザにコンテンツ種別を選択させる際に、タイトル情報ＩＴ及びサブ情報ＩＳを参考にさせることができる。
【０１１７】
そのうえ多数枚マルチディスクプレーヤ１は、ディスク情報テーブル３０の情報を基にディスク検索画面４０及び５０、コンテンツ種別選択画面６０及び７０を生成して表示させるので、光ディスク１００から直接タイトル情報ＩＴ等を読み出す時間を要することなく、ユーザの指示を受け付けてから短時間で各画面を表示することができる。
【０１１８】
以上の構成によれば、多数枚マルチディスクプレーヤ１は、光ディスク１００が新たに収納された際に、ディスク情報テーブル３０に当該光ディスク１００のコンテンツ種別情報ＩＣやタイトル情報ＩＴ等を格納しておき、当該光ディスク１００を再生する際に、当該ディスク情報テーブル３０のディスク情報を基にディスク検索画面４０を表示させ、スロット番号毎に２つのコンテンツ種別を並列的に提示することにより、当該ユーザにコンテンツ種別を２つとも認識させた上で再生する光ディスク１００のスロット番号を選択させることができ、さらにコンテンツ種別選択画面６０又は７０を表示させることによってコンテンツ種別を容易に選択させてコンテンツを再生することができる。
【０１１９】
（５）他の実施の形態
なお上述の実施の形態においては、ディスク情報格納処理手順ＲＴ１（図５）に従い、ＭＰ３データ及びＪＰＥＧデータが記録されたＤＡＴＡ−ＣＤディスク、ＣＤ層を有するＳＡ−ＣＤディスク、及びＶＩＤＥＯ  ＰＡＲＴを有するＤＶＤ−Ａｕｄｉｏディスクのディスク情報をディスク情報テーブル３０に格納するようにした場合について述べたが、本発明はこれに限らず、２チャンネルエリア及びマルチチャンネルエリアにそれぞれ異なるコンテンツ種別のコンテンツが記録されたＳＡ−ＣＤ等、複数のコンテンツ種別のコンテンツが記録されている他の種々の光ディスク１００のディスク情報をディスク情報テーブル３０に格納するようにしても良い。また１枚の光ディスク１００に記録されるコンテンツ種別は３種類以上でも良く、この場合、ディスク情報テーブル３０に全てのコンテンツ種別に応じたディスク情報を格納するようにし、ディスク検索画面４０やコンテンツ種別選択画面６０等に３種類以上のコンテンツ種別を並列的に提示するようにしても良い。
【０１２０】
また上述の実施の形態においては、ディスク検索画面４０にディスク種別及びコンテンツ種別を「ＳＡ−ＣＤ」や「ＪＰＥＧ」等の文字によって表示するようにした場合について述べたが、本発明はこれに限らず、ディスク種別及びコンテンツ種別を所定のアイコン等によって表示するようにしても良く、これによりディスク検索画面４０における意味内容を変化させることなく、ディスク種別及びコンテンツ種別の表示面積を削減して他のタイトル情報ＩＴ等をより多く表示させることができる。
【０１２１】
さらに上述の実施の形態においては、ＯＳＤによるディスク検索画面４０やコンテンツ種別選択画面６０等を外部のテレビジョンモニタ２００の表示画面に表示するようにした場合について述べたが、本発明はこれに限らず、多数枚マルチディスクプレーヤ１の表示部３に当該ディスク検索画面４０やコンテンツ種別選択画面６０等を表示するようにしても良い。この場合、当該表示部３にはタッチパネル等の操作入力手段を設けるようにしても良い。
【０１２２】
さらに上述の実施の形態においては、光ディスク１００を多数枚収納し、当該光ディスク１００及びコンテンツ種別を選択させて再生する多数枚マルチディスクプレーヤ１に本発明を適用するようにした場合について述べたが、これに限らず、半導体メモリを内蔵するメモリースティック（登録商標）等、種々の形式の記録媒体を多数収納し、当該記録媒体及びコンテンツ種別を選択させてコンテンツを再生する電子機器に本発明を適用するようにしても良い。
【０１２３】
さらに上述の実施の形態においては、記憶手段としての不揮発性メモリ２９と、記録媒体情報表示手段及び種別情報表示手段としてのシステム制御部２０、ＯＳＤ処理部２４Ａ及び操作部２と、再生手段としてのＤＶＤホストプロセッサ２４とによって再生装置としての多数枚マルチディスクプレーヤ１を構成する場合について述べたが、本発明はこれに限らず、その他種々の回路構成でなる記憶手段と、記録媒体情報表示手段と、種別情報表示手段と、再生手段とによって再生装置を構成するようにしても良い。
【産業上の利用可能性】
【０１２４】
本発明は、多数の記録媒体を収納し、当該記録媒体の中から再生する記録媒体及びコンテンツ種別を選択させて再生する種々の電子機器でも利用できる。
【図面の簡単な説明】
【０１２５】
【図１】本発明による多数枚マルチディスクプレーヤの外観構成を示す略線的斜視図である。
【図２】本発明による多数枚マルチディスクプレーヤの内部構成を示す略線的上面図である。
【図３】多数枚マルチディスクプレーヤの回路構成を示すブロック図である。
【図４】ディスク情報テーブルを示す略線図である。
【図５】ディスク情報格納処理手順を示すフローチャートである。
【図６】ディスク再生処理手順を示すフローチャートである。
【図７】ディスク検索画面（１）を示す略線図である。
【図８】フォルダ選択ボタンの階層構造の説明に供する略線図である。
【図９】フォルダ選択ボタンによるディスク情報の絞り込み条件を示す略線図である。
【図１０】ディスク検索画面（２）を示す略線図である。
【図１１】コンテンツ種別選択画面（１）を示す略線図である。
【図１２】コンテンツ種別選択画面（２）を示す略線図である。
【符号の説明】
【０１２６】
１……多数枚マルチディスクプレーヤ、２……操作部、３……表示部、５……ロータリーテーブル、７……ディスクドライブ部、２０……システム制御部、２４……ＤＶＤホストプロセッサ、２４Ａ……ＯＳＤ処理部、２５……メモリ、２９……不揮発性メモリ、３０……ディスク情報テーブル、４０、５０……ディスク検索画面、６０、７０……コンテンツ種別選択画面、１００……光ディスク、２００……テレビジョンモニタ。
【図１】
2006053956.tif 000003
【図２】
2006053956.tif 000004
【図３】
2006053956.tif 000005
【図４】
2006053956.tif 000006
【図５】
2006053956.tif 000007
【図６】
2006053956.tif 000008
【図７】
2006053956.tif 000009
【図８】
2006053956.tif 000010
【図９】
2006053956.tif 000011
【図１０】
2006053956.tif 000012
【図１１】
2006053956.tif 000013
【図１２】
2006053956.tif 000014